(57)【要約】【課題】ホイールハウスパネルとフロントピラーとの結合部分の捻り変形を抑制することが可能な車体の前部構造を提供すること。【解決手段】ステアリングサポート５は、ガセット４の後側結合部１８に車幅方向内側から重なり、後側結合部１８をフロントピラー２の立設基端部８との間で挟んだ状態でこれら立設基端部８及び後側結合部１８に結合されるフランジ部２０を両端に有し、左右のフロントピラー２を連結する。左右一対のホイールハウスパネル６は、フロントピラー２の前延部９に結合されてホイールハウスを形成するハウスパネル２１基部と、ハウスパネル基部２１から後方へ延びてダッシュパネル３に前方から重なり、ダッシュパネル３をガセット４の前側結合部１７との間で挟んだ状態でこれら前側結合部１７及びダッシュパネル３に結合される後端結合部２２と、を各々が有する。【選択図】図３
2010228712.tif 000002
【特許請求の範囲】
【請求項１】
立設基端部から前方へ延びる前延部を各々が有する左右一対のフロントピラーと、
前記左右のフロントピラーの間で車幅方向に沿って立設されるダッシュパネルと、
前記フロントピラーの立設基端部に車幅方向内側から重なる後側結合部と、この後側結合部の前方で前記ダッシュパネルに後方から重なる前側結合部と、を各々が有する左右一対のガセットと、
前記ガセットの後側結合部に車幅方向内側から重なり、この後側結合部を前記フロントピラーの立設基端部との間で挟んだ状態でこれら立設基端部及び後側結合部に結合されるフランジ部を両端に有し、前記左右のフロントピラーを連結するステアリングサポートと、
前記フロントピラーの前延部に結合されてホイールハウスを形成するハウスパネル基部と、このハウスパネル基部から後方へ延びて前記ダッシュパネルに前方から重なり、このダッシュパネルを前記ガセットの前側結合部との間で挟んだ状態でこれら前側結合部及びダッシュパネルに結合される後端結合部と、を各々が有する左右一対のホイールハウスパネルと、を備えた
ことを特徴とする車体の前部構造。
【請求項２】
請求項１に記載の車体の前部構造であって、
前記ダッシュパネルの車幅方向の外端部は、前記フロントピラーの立設基端部の車幅方向内側面に結合され、
前記ガセットは、前記後側結合部から前記前側結合部に向かって車幅方向内側に傾斜して延び、前記ダッシュパネルと前記フロントピラーの立設基端部との間で閉断面を形成する
ことを特徴とする車体の前部構造。
【請求項３】
請求項１又は請求項２に記載の車体の前部構造であって、
フロントウインドウパネルの下縁を支持するカウルパネルを備え、
前記カウルパネルの車幅方向の両端部は、前記ホイールハウスパネルに載置されて結合される
ことを特徴とする車体の前部構造。
【発明の詳細な説明】
【技術分野】
【０００１】
本発明は、車体の前部構造に関する。
【背景技術】
【０００２】
特許文献１には、前輪用ダンパの上端を取付けるダンパハウジングの上部と、エンジン室と車室とを隔てるダッシュボードの上部に取付けられたダッシュボードアッパパネルの前部とにダッシュボードアッパサイドパネルを渡して取付け、ダッシュボードアッパパネルの後部と、ダッシュボードアッパパネルの端部後部に取付けられたフロントピラーのインナパネルとにガセット部材を渡して取付け、フロントピラーのアウタパネルの外面前部にホイールハウスアッパメンバを取付け、フロントピラーのインナパネルの内面後部にステアリングを支持するステアリングハンガビームを取付けた車両の車体前部構造が記載されている。
【先行技術文献】
【特許文献】
【０００３】
【特許文献１】特許第３８４８５６３号公報
【発明の概要】
【発明が解決しようとする課題】
【０００４】
上記特許文献１に記載された車両の車体前部構造では、ステアリングハンガビームがフロントピラーのインナパネルの内面後部によってのみ支持されているため、十分な取付強度を得られず、車体の捻り剛性を十分に確保できない可能性がある。
【０００５】
また、一般に、フロントピラーには、ホイールハウスを形成するホイールハウスパネルが結合される。このホイールハウスパネルを備えた車両では、車両走行時に、車体を捻ろうとする捻り力が車輪等を介してホイールハウスパネルに伝達される。このため、ホイールハウスパネルを単にフロントピラーに結合した構造では、ホイールハウスパネルに伝達された捻り力が、フロントピラーとホイールハウスパネルとの結合部分に集中して、このフロントピラーとホイールハウスパネルとの結合部分が大きく変形してしまうおそれがある。かかる場合、車体の捻り剛性を十分に確保できず車両の操縦安定性を損なう可能性がある。
【０００６】
そこで、本発明は、ホイールハウスパネルとフロントピラーとの結合部分の捻り変形を抑制することが可能な車体の前部構造の提供を目的とする。
【課題を解決するための手段】
【０００７】
上記目的を達成すべく、本発明の車体の前部構造は、左右一対のフロントピラーと、ダッシュパネルと、左右一対のガセットと、ステアリングサポートと、左右一対のホイールハウスパネルと、を備えている。
【０００８】
左右一対のフロントピラーは、立設基端部から前方へ延びる前延部を各々が有する。ダッシュパネルは、左右のフロントピラーの間で車幅方向に沿って立設される。左右一対のガセットは、フロントピラーの立設基端部に車幅方向内側から重なる後側結合部と、後側結合部の前方でダッシュパネルに後方から重なる前側結合部と、を各々が有する。
【０００９】
ステアリングサポートは、ガセットの後側結合部に車幅方向内側から重なり、後側結合部をフロントピラーの立設基端部との間で挟んだ状態でこれら立設基端部及び後側結合部に結合されるフランジ部を両端に有し、左右のフロントピラーを連結する。左右一対のホイールハウスパネルは、フロントピラーの前延部に結合されてホイールハウスを形成するハウスパネル基部と、ハウスパネル基部から後方へ延びてダッシュパネルに前方から重なり、ダッシュパネルをガセットの前側結合部との間で挟んだ状態でこれら前側結合部及びダッシュパネルに結合される後端結合部と、を各々が有する。
【００１０】
上記構成では、車体を捻ろうとする捻り力がホイールハウスパネルに入力すると、この捻り力は、ハウスパネル基部とフロントピラーの前延部との結合部分に作用し、この結合部分からフロントピラーへ入力する。
【００１１】
また、ホイールハウスパネルは、その後端結合部がダッシュパネル及びガセットを介してフロントピラーの立設基端部に連結されているため、ホイールハウスパネルに入力した捻り力は、ダッシュパネル及びガセットを介してフロントピラーの立設基端部に伝達される。このガセットの前側結合部は、ダッシュパネルを挟んでホイールハウスパネルの後端結合部と結合されているため、ガセットは、ホイールハウスパネルの後端結合部とフロントピラーの立設基端部との相対的な変位を抑制する。さらに、ガセットの後側結合部は、ステアリングサポートのフランジ部と結合されているため、ガセットは、ホイールハウスパネルの後端結合部とステアリングサポートとの相対的な変位を抑制する。
【００１２】
このように、フロントピラーの立設基端部に対するホイールハウスパネルの取付強度とステアリングサポートに対するホイールハウスパネルの取付強度とがガセットによって向上する。従って、ホイールハウスパネルに入力した捻り力をフロントピラーの立設基端部とステアリングサポートとに十分に伝達させることができ、ホイールハウスパネルとフロントピラーの前延部との結合部分に作用する負荷が軽減され、この結合部分の捻り変形を抑制することができる。
【００１３】
また、左右のフロントピラーの相対的な変位がステアリングサポートによって抑制されるので、車体前部の捻り剛性が向上する。従って、車体前部の弾性変形を的確に減少させて車両の操縦安定性を向上させることができる。
【００１４】
また、取付剛性が向上するので、車両の前面衝突時のホイールハウスパネルの後方への移動を抑制してホイールハウスパネルを確実に変形させることができる。従って、車両衝突時における衝突エネルギを、ダッシュパネルよりも前方のホイールハウスパネルによって効率良く吸収でき、ダッシュパネルの後方の生存空間を確保することができる。
【００１５】
さらに、ステアリングサポートの剛性が向上するため、このステアリングサポートに取り付けられるステアリングの固有振動数が上昇する。このため、車両走行時に、比較的低い周波数の振動が車体に生じてもステアリングが共振せず、ステアリングを操舵する運転者に対して不快感や違和感を与えることがない。
【００１６】
また、ダッシュパネルの車幅方向の外端部は、フロントピラーの立設基端部の車幅方向内側面に結合され、ガセットは、後側結合部から前側結合部に向かって車幅方向内側に傾斜して延び、ダッシュパネルとフロントピラーの立設基端部との間で閉断面を形成してもよい。
【００１７】
上記構成では、ガセットが車幅方向内側に傾斜して延びてダッシュパネルとフロントピラーの立設基端部との間で閉断面を形成しているため、ホイールハウスパネルの後端結合部とフロントピラーの立設基端部との相対変位をさらに抑制することができる。
【００１８】
また、フロントウインドウパネルの下縁を支持するカウルパネルを備えてもよい。カウルパネルは、カウルパネルの車幅方向の両端部は、ホイールハウスパネルに載置されて結合される。
【００１９】
上記構成では、カウルパネルの車幅方向の両端部を左右のホイールハウスパネルに載置しているので、カウルパネルの車幅方向中央部を支持する場合に比べて、カウルパネルを強固に支持することができる。
【発明の効果】
【００２０】
本発明によれば、ホイールハウスパネルとフロントピラーとの結合部分の捻り変形を抑制することができる。
【図面の簡単な説明】
【００２１】
【図１】本実施形態に係る車体前部の斜視図である。
【図２】図１の分解斜視図である。
【図３】図１の要部拡大図である。
【発明を実施するための形態】
【００２２】
以下、本発明の一実施形態を、図面に基づいて説明する。図１は本実施形態に係る車体前部の斜視図、図２は図１の分解斜視図、図３は図１の要部拡大図である。以下の説明において、前後方向は車両の進行方向の前後を示し、内外方向は車幅方向の内外を示す。また、左右とは車両前方を向いた状態での左右を意味する。
【００２３】
図１〜図３に示すように、本実施形態に係る車体１は、左右一対のフロントピラー２とダッシュパネル３と左右一対のガセット４とステアリングサポート５と左右一対のホイールハウスパネル６とカウルパネル７等を備えている。
【００２４】
左右のフロントピラー２は、立設基端部８と前延部９と上延部１０とをそれぞれが有している。なお、左右のフロントピラー２はそれぞれほぼ対称構造であるため、右側のフロントピラー２について説明し、左側のフロントピラー２についてはその説明を省略する。
【００２５】
立設基端部８は、上下方向に延びる略板状部材であり、ドア開口１１の前端縁を区画している。立設基端部８の上端部には、取付部１２が接合されている。取付部１２は、略五角形状の略板状部材であり、複数（例えば３箇所）のボルト挿通孔１２ａを有している。
【００２６】
前延部９は、立設基端部８の前上端部から前方に延びる略板状部材であり、前後方向の略中央部分に所定間隔を置いて配置されて、車幅方向に貫通する前側貫通孔９ａ及び後側貫通孔９ｂを有している。上延部１０は、立設基端部８の上端から後上方に延びる略板状部材であり、ドア開口１１の前側上端縁を区画している。
【００２７】
ダッシュパネル３は、ダッシュパネル上板部１３とダッシュパネル中板部１４とダッシュパネル下板部１５とを有し、左右のフロントピラー２の間で車幅方向に沿って立設されている。
【００２８】
ダッシュパネル上板部１３は、車幅方向に湾曲して延びる略矩形板状部材であり、上端が下端よりも僅かに後方に配置されて後上方に傾斜している。ダッシュパネル上板部１３の車幅方向外端面は、立設基端部８の取付部１２の前方で立設基端部８の車幅方向内側面に接合されている。また、ダッシュパネル上板部１３の車幅方向外端部には、前後方向に貫通するボルト挿通孔（図示せず）が上下方向に複数（例えば２箇所）形成されている。
【００２９】
ダッシュパネル中板部１４は、ダッシュパネル上板部１３の下端から前方に延びる略板状部材である。また、ダッシュパネル上板部１３の下端が湾曲形状を有することから、ダッシュパネル中板部１４は、車幅方向外端部の前後方向の長さが、車幅方向略中央部の前後方向の長さよりも大きく設定されている。ダッシュパネル下板部１５は、ダッシュパネル中板部１４の前端から下方に延びる略板状部材である。
【００３０】
左右のガセット４は、基部１６と前側結合部１７と後側結合部１８とをそれぞれが有し、ダッシュパネル上板部１３の車幅方向両端部の後方にそれぞれ配置されている。なお、左右のガセット４はそれぞれほぼ対称構造であるため、右側のガセット４について説明し、左側のガセット４についてはその説明を省略する。
【００３１】
基部１６は、断面略凸字状の矩形板状部材であり、後端が前端よりも車幅方向外側に配置されて車幅方向外側に傾斜している。
【００３２】
前側結合部１７は、基部１６の前端面を構成し、ダッシュパネル上板部１３の車幅方向外端部後面に沿って車幅方向外側に僅かに傾斜して延びている。前側結合部１７には、複数（例えば２箇所）のネジ孔１７ａが形成されている。前側結合部１７は、ダッシュパネル上板部１３の車幅方向外端部後面に面接触した状態で重ねられる。
【００３３】
後側結合部１８は、基部１６の後端から曲折して後方に延びる略板状部材であり、複数（例えば３箇所）のボルト挿通孔１８ａを有している。後側基端部１８の車幅方向外側面は、立設基端部８の取付部１２の車幅方向内側面に面接触した状態で重ねられる。
【００３４】
このように構成されたガセット４は、ダッシュパネル上板部１３とフロントピラー２の立設基端部８との間で略三角形状の閉断面を形成する。
【００３５】
ステアリングサポート５は、軸部１９と、この軸部１９の左右の各端部に設けられたフランジ部２０とを有し、左右のフロントピラー２を連結する。なお、左右のフランジ部２０はそれぞれほぼ対称構造であるため、右側のフランジ部２０について説明し、左側のフランジ部２０についてはその説明を省略する。また、図１及び図３では、右側のフランジ部２０の図示を省略している。
【００３６】
軸部１９は、略円筒形状の部材であり、軸方向に伸縮自在な緩衝機構を有している。この緩衝機構とは、軸方向（車幅方向）に過大な荷重が作用した場合に、予め設定された長さの分だけ軸方向に圧縮させて荷重を吸収するものである。
【００３７】
右側のフランジ部２０は、後側結合部１８と略同じ大きさで形成された略板状部材であり、複数（例えば３箇所）のボルト挿通孔２０ａを有している。右側のフランジ部２０は、車幅方向外側面が右側のガセット４の後側結合部１８の車幅方向内側面に面接触した状態で重ねられる。すなわち、右側のフランジ部２０と右側のガセット４の後側結合部１８と右側のフロントピラー２の立設基端部８とは、後側結合部１８を間に挟んだ状態で車幅方向に三重に重なっており、この重なった状態において、それぞれのボルト挿通孔１２ａ，１８ａ，２０ａの位置が一致している。これら右側のフランジ部２０と右側の後側結合部１８と右側の立設基端部８とを重ねた状態で、ボルト挿通孔１２ａ，１８ａ，２０ａを介してボルト及びナット（図示せず）によって締結することで、右側のフランジ部２０と右側の後側結合部１８と右側の立設基端部８とが結合される。なお、図２では、右側のフランジ部２０と後側結合部１８とが車幅方向に重なった状態を示しており、便宜上右側のフランジ部２０と後側結合部１８とを一体的に図示している。
【００３８】
左右のホイールハウスパネル６は、ハウスパネル基部２１と後端結合部２２とをそれぞれが有しており、ダッシュパネル３の車幅方向両端部の前方であって左右の前延部９の車幅方向内側に対向配置されている。なお、左右のホイールハウスパネル６はそれぞれほぼ対称構造であるため、右側のホイールハウスパネル６について説明し、左側のホイールハウスパネル６についてはその説明を省略する。
【００３９】
ハウスパネル基部２１は、ハウスパネル上板部２３とハウスパネル側板部２４とハウスパネル下板部２５とハウスパネル第２側板部２６とハウスパネル横板部２７等を有している。
【００４０】
ハウスパネル上板部２３は、前後方向に沿って延びる略矩形板形状の部材であり、車幅方向外端縁が前延部９の上端縁に接合されている。ハウスパネル側板部２４は、略矩形板形状であり、ハウスパネル上板部２３の車幅方向内端縁から下方に延びている。ハウスパネル下板部２５は、略矩形板形状であり、ハウスパネル側板部２４の下端縁から車幅方向内側に延び、後側の車幅方向内端縁が、前延部９の前側の車幅方向内側面に近接又は接触している。
【００４１】
ハウスパネル第２側板部２６は、略矩形板形状であり、ハウスパネル下板部２５の車幅方向内端縁から下方に延びている。ハウスパネル横板部２７は、略矩形板形状であり、ハウスパネル第２側板部２６の下端縁から車幅方向内側に延びてホイールハウスの前後方向の略中央部分を形成をしている。また、ハウスパネル横板部２７の車幅方向内端縁にはフランジ板部２８が設けられ、下方に向かって僅かに延びている。
【００４２】
後端結合部２２は、ハウスパネル上板後延部２９とハウスパネル側板後延部３０とハウスパネル下板後延部３１とハウスパネル第２側板後延部３２と、ハウスパネル横板後延部３３と等を有している。
【００４３】
ハウスパネル上板後延部２９は、ハウスパネル上板部２３の後端縁から後方に延びる略板状部材であり、後端部に上方フランジ部３４が設けられている。ハウスパネル上板後延部２９は、前端から後端に向かって拡幅し、前端部の車幅方向の長さよりも後端部の車幅方向の長さの方が大きく設定されている。
【００４４】
上方フランジ部３４は、ハウスパネル上板後延部２９の後端縁から上方に僅かに延びてダッシュパネル上板部１３の前面に面接触する前面接触部３５と、この前面接触部３５の上端縁から後方に僅かに延びてダッシュパネル上板部１３の上端面に面接触する上面接触部３６とを有している。
【００４５】
ハウスパネル側板後延部３０は、略矩形板形状であり、ハウスパネル側板部２４の後縁から車幅方向内側後方へ傾斜して延びている。ハウスパネル側板後延部３０の上端縁は、ハウスパネル上板後延部２９の車幅方向内端縁に連続している。また、ハウスパネル側板後延部３０の後端縁には、側方フランジ部３７が設けられている。
【００４６】
側方フランジ部３７は、ハウスパネル側板後延部３０の後端縁から車幅方向内側に僅かに延びる略矩形板状部材であり、後端面が、ダッシュパネル上板部１３の車幅方向外端部前面に面接触している。また、側方フランジ部３７には、前後方向に貫通するボルト挿通孔（図示せず）が上下方向に複数（例えば２箇所）形成されている。この側方フランジ部３７とダッシュパネル上板部１３と右側のガセット４の前側結合部１７とは、ダッシュパネル上板部１３を間に挟んだ状態で前後方向に三重に重なっており、この重なった状態において、側方フランジ部３７及びダッシュパネル上板部１３のボルト挿通孔と前側結合部１７のネジ孔１７ａの位置が一致している。これら側方フランジ部３７とダッシュパネル上板部１３と右側の前側結合部１７とを重ねた状態で、ボルト挿通孔にボルト（図示せず）を挿通し、前側結合部１７のネジ孔１７ａに締め付けることで、側方フランジ部３７とダッシュパネル上板部１３と右側の前側結合部１７とが結合される。
【００４７】
ハウスパネル下板後延部３１は、略矩形板状であり、ハウスパネル下板部２５の後端縁から後方に延びている。ハウスパネル下板後延部３１の上端縁は、ハウスパネル側板後延部３０の下端縁と連続している。このハウスパネル下板後延部３１の下端面は、ダッシュパネル中板部１４の車幅方向外側上面に面接触する。
【００４８】
ハウスパネル第２側板後延部３２は、略板形状であり、ハウスパネル第２側板部２６の後端縁から後下方に延びている。ハウスパネル第２側板後延部３２の上端縁は、ハウスパネル下板後延部３１の下端縁に連続している。また、ハウスパネル第２側板後延部３２の車幅方向内側面は、ダッシュパネル下板部１５の車幅方向外端面と面接触する。
【００４９】
ハウスパネル横板後延部３３は、略板形状であり、ホイールハウスの後端部分を形成をしている。ハウスパネル横板後延部３３は、ハウスパネル横板部２７の後端縁からハウスパネル第２側板後延部３２の前下端縁に沿って後下方に湾曲して延びている。ハウスパネル横板後延部３３の車幅方向外端縁は、ハウスパネル第２側板後延部３２の下端縁に連続している。また、ハウスパネル横板後延部３３の車幅方向内端縁にはフランジ板後延部３８が設けられ、下方に向かって僅かに延びている。
【００５０】
カウルパネル７は、カウルパネル上板部３９とカウルパネル前板部４０とを有し、左右のフロントピラー２間で車幅方向に延びてフロントウインドウパネル（図示せず）の下端を支持する。
【００５１】
カウルパネル上板部３９は、ハウスパネル上板後延部２９及びダッシュパネル上板部１３よりも上方に配置される略板状部材である。カウルパネル上板部３９の後端縁の車幅方向両端部は、上方フランジ部３４の上面接触部３６をダッシュパネル上板部１３の上面との間で挟んだ状態で、後端縁の車幅方向両端部以外の部分がダッシュパネル上板部１３の上面に接合されている。また、カウルパネル上板部３９の車幅方向両側は、左右のハウスパネル上板後延部２９とそれぞれ上下方向に重なっており、カウルパネル上板部３９の下面は、左右のハウスパネル上板後延部２９の上面とそれぞれ面接触した状態で接合されている。
【００５２】
カウルパネル前板部４０は、略矩形板形状であり、カウルパネル上板部３９から下方に延びてダッシュパネル中板部１４の前端縁に接合されている。また、カウルパネル前板部４０の車幅方向両端縁には、前方に向かって僅かに延びるカウルパネルフランジ部４１がそれぞれ設けられている。このカウルパネルフランジ部４１は、車幅方向内側面が、ハウスパネル側板後延部３０の車幅方向外側面に面接触した状態で接合される。
【００５３】
本実施形態によれば、車体１を捻ろうとする捻り力がホイールハウスパネル６に入力すると、この捻り力は、ハウスパネル基部２１とフロントピラー２の前延部９との結合部分に作用し、この結合部分からフロントピラー２へ入力する。
【００５４】
また、ホイールハウスパネル６は、その後端結合部２２がダッシュパネル３及びガセット４を介してフロントピラー２の立設基端部８に連結されているため、ホイールハウスパネル６に入力した捻り力は、ダッシュパネル３及びガセット４を介してフロントピラー２の立設基端部８に伝達される。このガセット４の前側結合部１７は、ダッシュパネル３を挟んでホイールハウスパネル６の後端結合部１８と結合されているため、ガセット４は、ホイールハウスパネル６の後端結合部２２とフロントピラー２の立設基端部８との相対的な変位を抑制する。さらに、ガセット４の後側結合部１８は、ステアリングサポート５のフランジ部２０と結合されているため、ガセット４は、ホイールハウスパネル６の後端結合部２２とステアリングサポート５との相対的な変位を抑制する。
【００５５】
このように、フロントピラー２の立設基端部８に対するホイールハウスパネル６の取付強度とステアリングサポート５に対するホイールハウスパネル６の取付強度とがガセット４によって向上する。従って、ホイールハウスパネル６に入力した捻り力をフロントピラー２の立設基端部８とステアリングサポート５とに十分に伝達させることができ、ホイールハウスパネル６とフロントピラー２の前延部９との結合部分に作用する負荷が軽減され、この結合部分の捻り変形を抑制することができる。
【００５６】
また、左右のフロントピラー２の相対的な変位がステアリングサポート５によって抑制されるので、車体１の前部の捻り剛性が向上する。従って、車体１の前部の弾性変形を的確に減少させて車両の操縦安定性を向上させることができる。
【００５７】
また、取付剛性が向上するので、車両の前面衝突時のホイールハウスパネル６の後方への移動を抑制してホイールハウスパネル６を確実に変形させることができる。従って、車両衝突時における衝突エネルギを、ダッシュパネル３よりも前方のホイールハウスパネル６によって効率良く吸収でき、ダッシュパネル３の後方の生存空間を確保することができる。
【００５８】
さらに、ステアリングサポート５の剛性が向上するため、このステアリングサポート５に取り付けられるステアリングの固有振動数が上昇する。このため、車両走行時に、比較的低い周波数の振動が車体に生じてもステアリングが共振せず、ステアリングを操舵する運転者に対して不快感や違和感を与えることがない。
【００５９】
また、ガセット４が車幅方向内側に傾斜して延びてダッシュパネル３とフロントピラー２の立設基端部８との間で略三角形状の閉断面を形成しているため、ホイールハウスパネル６の後端結合部１８とフロントピラー２の立設基端部８との相対変位をさらに抑制することができる。
【００６０】
さらに、カウルパネル７の車幅方向の両端部を左右のホイールハウスパネル６に載置しているので、カウルパネル７の車幅方向中央部を支持する場合に比べて、カウルパネル７を強固に支持することができる。
【００６１】
なお、本実施形態では、カウルパネル７を設けた場合を説明したが、カウルパネル７は必ずしも設けられている必要はない。
【００６２】
また、ガセット４がダッシュパネル３とフロントピラー２の立設基端部８との間で略三角形状の閉断面を形成している場合を説明したが、例えば略四角形状の閉断面であってもよい。あるいは、ガセット４がダッシュパネル３とフロントピラー２の立設基端部８との間で閉断面を形成していなくてもよい。
【００６３】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００６４】
本発明は、ホイールハウスパネルとフロントピラーとを備える車両に適用可能である。
【符号の説明】
【００６５】
２  フロントピラー
３  ダッシュパネル
４  ガセット
５  ステアリングサポート
６  ホイールハウスパネル
７  カウルパネル
８  立設基端部
９  前延部
１７  前側結合部
１８  後側結合部
２０  フランジ部
２１  ハウスパネル基部
２２  後端結合部
【図１】
2010228712.tif 000003
【図２】
2010228712.tif 000004
【図３】
2010228712.tif 000005